(57)【要約】      （修正有）【課題】放尿の勢いにかかわらず、尿が跳ね返らない小便器を提供する。【解決手段】前面左右に跳ね返り面３を形成しているため、そこに放尿すると自らへ跳ね返ることが予想され、自然と便器に近づくことになり、便器の周辺を汚すことが避けられる。また小便器内に内壁面５と溝４と、その奥に集尿管を形成し、断面が前方後円墳形の構造としたことにより、放尿した小便はまず内壁面５に当たり、その角度によって奥の溝４に導かれ、最終的にその奥の集尿管に受け止められ、排水口へ流れる。【選択図】図１
2018100510.tif 000002
【特許請求の範囲】
【請求項１】
放尿の勢いにかかわらず、小便器内に入った尿は跳ね返らない、断面が前方後円墳形の構造が特徴の小便器。
【請求項２】
小便器内に放尿する意識を促す、跳ね返り面が形成された小便器。
【請求項３】
壁面設置式小便器において、従来の一般的な小便器台数の約１，５倍以上の台数が設置できる形状が特徴の小便器。
【発明の詳細な説明】
【技術分野】
【０００１】
本発明は、小便器に関わり、特に、小便の跳ね返りを解消する小便器の形状、構造に関する。
【背景技術】
【０００２】
従来は、跳ね返り防止策として下記特許文献１のようにボウル面が後方に向かって傾斜して円弧形状に形成されているので、小便がボウル面に当たった後に前方に跳ね返ることがなく、下方に落下させる方法や、下記特許文献２のように衝突面の広い範囲で衝突角度を十分に調節でき、小便の跳ね返りを抑えやすい方法が開示されている。
【先行技術文献】
【特許文献】
【０００３】
【特許文献１】特開２０１４−２１８８００
【特許文献２】特開２０１０−０４７９２９
【発明の概要】
【発明が解決しようとする課題】
【０００４】
しかしながら、放尿前半の勢いがある時は、跳ね返らない最適な角度を狙えるが、放尿後半にかけて勢いが無くなってきたときは、下の目皿や垂れ受け部に落ちることになり、尿の跳ね返りが避けられない。
【課題を解決するための手段】
【０００５】
本発明は上記課題を改善するため、放尿前半、後半、残尿時すべてにおいて、便器内に入った尿は跳ね返さず全て受け止める、今まで無かった形状、構造をもつ小便器である。
【０００６】
また本発明は、確実に小便器内に放尿するよう促すべく、正面の左右に跳ね返り面を設けた。よってより近づく事となり残尿の振り落としによる小便器外への飛散も減少する効果がある。
【発明の効果】
【０００７】
本発明は小便器内に放たれた尿は溝の奥の集尿管で受け止め、戻ってこない構造上、跳ね返りが無い。（図７の（A）参照)
【０００８】
また本発明は、構造上、上から見た形状が正三角形であるため、壁面設置した場合に通常2器分のスペースに約３器の設置が可能である。（図８参照）
【図面の簡単な説明】
【０００９】
【図１】本発明の小便器を示す斜視図である。
【図２】図１の正面図である。
【図３】図1の側面図である。
【図４】図3のA-A断面図である。
【図５】図2のB-B断面図である。
【図６】図１の平面図と図2のC-C断面図(前方後円墳形構造)である。
【図７】（A）は小便器内に放尿した時に集尿管に収まるパターン（い）（ろ）を示した実施例である。（B）の（は）は小便器外の跳ね返り面に当たった場合を示す実施例と、（に）は小便器内に放尿するために小便器に近づこうとする意識を示した実施例である。
【図８】(C)は一般的な壁面小便器の設置方法と(D)は本発明の設置例を示した実施例である。
【図９】(E)(F)は図6のC-C断面図(前方後円墳形構造)の他の実施例の断面図である。
【発明を実施するための形態】
【００１０】
本発明の、実施形態を図に基づき説明する。
【００１１】
図１は、今までにない全く新しい発想から生まれた小便器の斜視図である。前面の左右に跳ね返り面３を設け、そこへ放尿すると自らへ跳ね返ることを意味し、よって自然に小便器に近づく事となり、さらには確実に小便器内に放尿する意識を促す特徴がある。
【００１２】
また、上部から下部、さらには尿垂れ受け部まで同じ構造で一体化している事を示し、汚れが付着しにくく流水洗浄が効果的でもある。
【００１３】
図６のC-C断面図は、小便器内に放尿した小便はまず内壁面５に当たり、その角度により、奥の溝４へ導かれ、最終的にその奥の集尿管６で受け止める仕組みを示している。
【００１４】
また、図4のA-A断面図に示すように、垂れ受け部も同仕組みである。
【００１５】
特に、この仕組みの小便器内部構造が特徴であり、これ以下、前方後円墳形構造と呼ぶ事とする。
【００１６】
図５B-B断面図は、小便器上部から排水口７までと垂れ受け部から排水口７まで、前方後円墳形構造である事を示しており、最終的に尿は集尿管６から排水口７へ流れる仕組みである。
【００１７】
また、上部の蓋２を取り外すと収納室８があり、洗浄用流水装置や人体検知センサが収納でき、集尿管の清掃も容易に行う事ができる構造を示している。
【００１８】
図６平面図は正三角形に近い形状(垂れ受け部を除く)を示し、便所の角やコーナーにも設置できる。
【００１９】
図８は、公衆便所などの一般的な壁面設置式小便器において、本発明小便器を従来の設置台数の約1.5倍設置できることを示している。
【００２０】
また、柱等の側面に円を描くように設置することで、さらに２倍の台数が設置できる。
【００２１】
或いは、跳ね返り面３の横幅を短くし、より底辺の短い二等辺三角形にすることで、さらなる増設ができる。
【実施例】
【００２２】
図７(A)に示すように、小便器内(前方後円墳形構造)に放たれた尿(い)(ろ)は、それぞれまず内壁面５に当たり、その角度により、奥の溝４へ導かれ、その奥の集尿管６で受け止める仕組みの実施例である。
【００２３】
図7(B)の(は)は、小便器外へ放たれた尿が跳ね返り面３に当たった場合を示す実施例である。
【００２４】
よって、図7(B)の(に)は、小便器内(前方後円墳形構造)へ確実に放尿するために、小便器に近づこうとする意識を示した実施例である。
【００２５】
図8の(D)は壁面に、三台分の本発明小便器１の背面が集中している事を示し、よって洗浄用給水管や排水管を一管にまとめる事ができる実施例である。
【００２６】
図９の(E)(F)は図6のC-C断面図(前方後円墳形構造)の他の実施例の断面図である。(E)は集尿管内部を円状にし、集尿管内部の清掃をより簡単にした実施例であり、また跳ね返り面の横幅を短くした実施例である。
【００２７】
さらに、(F)は両側面を平面にし、よって清掃が簡単にでき、見た目も美しくした実施例である。
【００２８】
また時折、煙草の吸殻やガム等のゴミによって排水口や目皿付近が詰まり、排水出来ず尿が溜まっている状況に遭遇するが、本発明の前方後円墳形構造にて実施実験した結果、尿が溜まる事例は起こらなかった。
【産業上の利用可能性】
【００２９】
図6平面図に示すように、形状が三角形であるため、便所の角やコーナーにも設置可能で、一般家庭の狭い便所での設置が普及する可能性がある。
【００３０】
本発明の前方後円墳形の内部構造を用いると、緊急時や脱ぐ手間のかかる服装時でも、簡単、迅速に用を足す事ができる女性用小便器が開発できる可能性がある。
【符号の説明】
【００３１】
１  小便器
２  蓋
３  跳ね返り面
４  溝
５  内壁面
６  集尿管
７  排水口
８  収納室
９  垂れ受け部
【図１】
2018100510.tif 000003
【図２】
2018100510.tif 000004
【図３】
2018100510.tif 000005
【図４】
2018100510.tif 000006
【図５】
2018100510.tif 000007
【図６】
2018100510.tif 000008
【図７】
2018100510.tif 000009
【図８】
2018100510.tif 000010
【図９】
2018100510.tif 000011